(57)【要約】      （修正有）【課題】留め部材の履物への取り付け部位の強度向上を図った履物を提供する。【解決手段】履物Ｆは、履き口を有する履物Ｆであって、底部１と、この底部１に接合され、足の甲部と足の踵部の一部を覆うアッパー２と、略Ｕ字状に形成した帯状部材のバックベルト３と、底部１の外側側部より立ち上がり、アッパー２に付着した外側側部立ち上がり部材１１と、底部１の内側側部より立ち上がり、アッパー２に付着した内側側部立ち上がり部材１２と、バックベルト３の一方の端部をアッパー２に取り付ける第１の留め部材４と、バックベルト５の他方の端部をアッパー２に取り付ける第２の留め部材５とを備え、第１の留め部材４は、履物Ｆの外側に位置する第１の外側部材と、履物Ｆの内側に位置する第１の内側部材４２と、この第１の内側部材４２と第１の外側部材とを接続する第１の接続部とを有し、第２の留め部材５は、履物Ｆの外側に位置する第２の外側部材と、履物Ｆの内側に位置する第２の内側部材５２と、第２の接続部とを有する。【選択図】図３
0003203540.tif 000002
【実用新案登録請求の範囲】
【請求項１】
履き口を有する履物であって、
底部と、
この底部に接合され、足の甲部と足の踵部の一部を覆うアッパーと、
略Ｕ字状に形成した帯状部材のバックベルトと、
前記底部の外側側部より立ち上がり、前記アッパーに付着した外側側部立ち上がり部材と、
前記底部の内側側部より立ち上がり、前記アッパーに付着した内側側部立ち上がり部材と、
前記バックベルトの一方の端部を前記アッパーに取り付ける第１の留め部材と、
前記バックベルトの他方の端部を前記アッパーに取り付ける第２の留め部材とを備え、
前記第１の留め部材は、前記履物の外側に位置する第１の外側部材と、前記履物の内側に位置する第１の内側部材と、この第１の内側部材と前記第１の外側部材とを接続する第１の接続部とを有し、
前記第２の留め部材は、前記履物の外側に位置する第２の外側部材と、前記履物の内側に位置する第２の内側部材と、この第２の内側部材と前記第２の外側部材とを接続する第２の接続部とを有し、
前記バックベルトの一方の端部に近い側に第１の外側穴を設け、
前記外側側部立ち上がり部材に第２の外側穴を設け、
前記アッパーの外側側部に第３の外側穴を設け、
前記第１の外側穴、前記第２の外側穴、前記第３の外側穴は、前記履物の外側から内側に向かって、前記第１の外側穴、前記第２の外側穴、前記第３の外側穴の順にあり、
前記第１の接続部は、前記第１の外側穴、前記第２の外側穴、前記第３の外側穴内に位置し、
前記バックベルトの他方の端部に近い側に第１の内側穴を設け、
前記内側側部立ち上がり部材に第２の内側穴を設け、
前記アッパーの内側側部に第３の内側側穴を設け、
前記第１の内側穴、前記第２の内側穴、前記第３の内側穴は、前記履物の外側から内側に向かって、前記第１の内側穴、前記第２の内側穴、前記第３の内側穴の順にあり、      前記第２の接続部は、前記第１の内側穴、前記第２の内側穴、前記第３の内側穴内に位置し、
前記第１の留め部材及び前記第２の留め部材の取り付けにより、前記バックベルトを回動させる
ことを特徴とする履物。        
【請求項２】
第１の外側部材は、第１の外側円盤状部材であり、
第１の内側部材は、円盤状部材の下方を直線的に切除した蒲鉾形状で、蒲鉾形状の底部を前記履物の底部に臨ませ、
第２の外側部材は、第２の外側円盤状部材であり、
第２の内側部材は、円盤状部材の下方を直線的に切除した蒲鉾形状で、蒲鉾形状の底部を前記履物の底部に臨ませている
ことを特徴とする請求項１記載の履物。
【請求項３】
底部の上に位置し、前記底部を覆う覆い部材と、
この覆い部材の上に位置する中敷きと、
この中敷きの外側に設けられた中敷き外側立ち上がり部と、
前記中敷きの内側に設けられた中敷き内側立ち上がり部とを設け、
前記中敷き外側立ち上がり部で第１の内側部材を覆い、
前記中敷き内側立ち上がり部で第２の内側部材を覆っている
ことを特徴とする請求項１記載の履物。
【考案の詳細な説明】
【技術分野】
【０００１】
本考案は、履物に係り、特に、留め部材の履物への取り付け部位の強度向上を図った履物に関する。    
【背景技術】
【０００２】
従来、例えば、履物は、底部と、この底部に接合され、足の甲部と足の踵部の一部を覆うアッパーと、略Ｕ字状に形成した帯状部材のバックベルトとを備える。バックベルトの一方の端部に第１の長穴を設け、第１の長穴を貫通して第１の留め具を介してバックベルトをアッパーの内側に取り付け、バックベルトの他方の端部に第２の長穴を設け、この第２の長穴を貫通して第２の留め具を介してバックベルトをアッパーの内側に取り付けるようにしている（特許文献１参照）。
【先行技術文献】
【特許文献】
【０００３】
【特許文献１】実用新案登録第３１６３１７５号公報
【考案の概要】
【考案が解決しようとする課題】
【０００４】
しかしながら、上述のバックベルトの取り付け部位は、アッパーのみであり、該アッパー部分の強度を強くしなければならないという問題点があった。
また、留め部材の部位が足の踝部分付近に接触し、使用勝手が良好でないという問題点もあった。
【０００５】
本考案は、上記の問題点を除去するようにした履物を提供することを目的とする。
【課題を解決するための手段】
【０００６】
請求項１記載の履物は、履き口を有する履物であって、底部と、この底部に接合され、足の甲部と足の踵部の一部を覆うアッパーと、略Ｕ字状に形成した帯状部材のバックベルトと、前記底部の外側側部より立ち上がり、前記アッパーに付着した外側側部立ち上がり部材と、前記底部の内側側部より立ち上がり、前記アッパーに付着した内側側部立ち上がり部材と、前記バックベルトの一方の端部を前記アッパーに取り付ける第１の留め部材と、前記バックベルトの他方の端部を前記アッパーに取り付ける第２の留め部材とを備え、前記第１の留め部材は、前記履物の外側に位置する第１の外側部材と、前記履物の内側に位置する第１の内側部材と、この第１の内側部材と前記第１の外側部材とを接続する第１の接続部とを有し、前記第２の留め部材は、前記履物の外側に位置する第２の外側部材と、前記履物の内側に位置する第２の内側部材と、この第２の内側部材と前記第２の外側部材とを接続する第２の接続部とを有し、前記バックベルトの一方の端部に近い側に第１の外側穴を設け、前記外側側部立ち上がり部材に第２の外側穴を設け、前記アッパーの外側側部に第３の外側穴を設け、前記第１の外側穴、前記第２の外側穴、前記第３の外側穴は、前記履物の外側から内側に向かって、前記第１の外側穴、前記第２の外側穴、前記第３の外側穴の順にあり、前記第１の接続部は、前記第１の外側穴、前記第２の外側穴、前記第３の外側穴内に位置し、前記バックベルトの他方の端部に近い側に第１の内側穴を設け、前記内側側部立ち上がり部材に第２の内側穴を設け、前記アッパーの内側側部に第３の内側側穴を設け、前記第１の内側穴、前記第２の内側穴、前記第３の内側穴は、前記履物の外側から内側に向かって、前記第１の内側穴、前記第２の内側穴、前記第３の内側穴の順にあり、前記第２の接続部は、前記第１の内側穴、前記第２の内側穴、前記第３の内側穴内に位置し、前記第１の留め部材及び前記第２の留め部材の取り付けにより、前記バックベルトを回動させるものである。
【０００７】
また、請求項２記載の履物は、請求項１記載の履物において、第１の外側部材は、第１の外側円盤状部材であり、第１の内側部材は、円盤状部材の下方を直線的に切除した蒲鉾形状で、蒲鉾形状の底部を前記履物の底部に臨ませ、第２の外側部材は、第２の外側円盤状部材であり、第２の内側部材は、円盤状部材の下方を直線的に切除した蒲鉾形状で、蒲鉾形状の底部を前記履物の底部に臨ませているものである。
【０００８】
また、請求項３記載の履物は、請求項１記載の履物において、底部の上に位置し、前記底部を覆う覆い部材と、この覆い部材の上に位置する中敷きと、この中敷きの外側に設けられた中敷き外側立ち上がり部と、前記中敷きの内側に設けられた中敷き内側立ち上がり部とを設け、前記中敷き外側立ち上がり部で第１の内側部材を覆い、前記中敷き内側立ち上がり部で第２の内側部材を覆っているものである。
【考案の効果】
【０００９】
請求項１記載の履物によれば、第１の留め部材に作用する力がアッパーの外側側部のみならず、底部の外側側部より立ち上がる外側側部立ち上がり部材にも、第２の留め部材に作用する力がアッパーの内側側部のみならず、底部の内側側部より立ち上がる内側側部立ち上がり部材にも、それぞれ作用するため、第１の留め部材の取り付け部位、第２の留め部材の取り付け部位を強固にすることができる。
【００１０】
また、請求項２記載の履物によれば、上述した請求項１記載の考案の効果に加え、第１の内側部材は、円盤状部材の下方を直線的に切除した蒲鉾形状で、蒲鉾形状の底部を前記履物の底部に臨ませ、第２の内側部材は、円盤状部材の下方を直線的に切除した蒲鉾形状で、蒲鉾形状の底部を前記履物の底部に臨ませている分、第１の留め部材及び第２の留め部材を底部により近く取り付けることができるため、第１の内側部材、第２の内側部材が足の踝に接触するのを防ぐことができる。
【００１１】
また、請求項３記載の履物によれば、上述した請求項１記載の考案の効果に加え、中敷き外側立ち上がり部で第１の内側部材を、中敷き内側立ち上がり部で第２の内側部材を、それぞれ覆っているため、第１の内側部材、第２の内側部材が足に接触するのを防ぐことができる。
【図面の簡単な説明】
【００１２】
【図１】図１は、本考案の一実施例の履物を分解して示す概略的分解斜視図である。
【図２】図２は、図１のバックベルトの取り付け部位を分解して示す概略的分解斜視図である。
【図３】図３は、図１の履物に中敷きを取り付けた状態の概略的断面図である。
【図４】図４は、図３の一部を分解して示す概略的分解断面図である。
【考案を実施するための形態】
【００１３】
本考案の一実施例の履物を図面を参照して説明する。
図１に示すＦは履物で、履物Ｆは、履き口を有し、底部１と、この底部１に接合され、足の甲部と足の踵部の一部を覆うアッパー２と、略Ｕ字状に形成した帯状部材のバックベルト３と、底部１の外側側部より立ち上がり、アッパー２に付着した外側側部立ち上がり部材１１と、底部１の内側側部より立ち上がり、アッパー２に付着した内側側部立ち上がり部材１２と、バックベルト３の一方の端部をアッパー２に取り付ける第１の留め部材４と、バックベルト３の他方の端部をアッパー２に取り付ける第２の留め部材５とを備えている（図１、図３及び図４参照）。
【００１４】
図２に示す４は第１の留め部材で、第１の留め部材４は、履物Ｆの外側に位置する第１の外側部材４１（第１の外側部材４１は、例えば、第１の外側円盤状部材である。）と、履物Ｆの内側に位置する第１の内側部材４２（第１の内側部材４２は、例えば、円盤状部材の下方を直線的に切除した蒲鉾形状で、蒲鉾形状の底部４２１を履物Ｆの底部１に臨ませている。）と、この第１の内側部材４２と第１の外側部材４１とを接続する第１の接続部４３とを有している。
第１の接続部４３は、たとえば、スリット４４が設けられ、第１の接続部４３を第１の内側部材４２に差し込みスリット４４を狭めることによって生じる弾性により、第１の外側部材４１と第１の内側部材４２とを接続するようにしている。
その際、第１の接続部４３の先端に接着剤を塗布して第１の外側部材４１と第１の内側部材４２との結合力を強くしても良いし、図示しないが、スリット４４を設けず、第１の接続部４３の先端に接着剤を塗布して第１の外側部材４１と第１の内側部材４２との結合力を強くしても良い。
【００１５】
また、図４に示す３５はバックベルト３の一方の端部に近い側に設けられた第１の外側穴であり、１５は外側側部立ち上がり部材１１に設けられた第２の外側穴であり、２５はアッパー２の外側側部に設けられた第３の外側穴であり、第１の外側穴３５、第２の外側穴１５、第３の外側穴２５は、履物Ｆの外側から内側に向かって、第１の外側穴３５、第２の外側穴１５、第３の外側穴２５の順にある。
第１の留め部材４は、第１の外側穴３５、第２の外側穴１５、第３の外側穴２５を貫通して取り付けられ、具体的には、第１の接続部４３は、第１の外側穴３５、第２の外側穴１５、第３の外側穴２５内に位置している。
また、図２に示すように、第１の内側部材４２は、円盤状部材の下方を直線的に切除した蒲鉾形状で、蒲鉾形状の底部４２１を履物Ｆの底部１に臨ませている（図３参照）。
【００１６】
図２に示す５は第２の留め部材で、第２の留め部材５は、第１の留め部材４と同様、履物Ｆの外側に位置する第２の外側部材５１（第２の外側部材５１は、例えば、第２の外側円盤状部材である。）と、履物Ｆの内側に位置する第２の内側部材５２（第２の内側部材５２は、例えば、円盤状部材の下方を直線的に切除した蒲鉾形状で、蒲鉾形状の底部４５１を履物Ｆの底部１に臨ませている。）と、この第２の内側部材５２と第２の外側部材５１とを接続する第２の接続部５３とを有している。
第２の接続部５３は、たとえば、スリット５４が設けられ、第２の接続部５３を第２の内側部材５２に差し込みスリット５４を狭めることによって生じる弾性により、第２の外側部材５１と第２の内側部材５２とを接続するようにしている。
その際、第２の接続部５３の先端に接着剤を塗布して第２の外側部材５１と第２の内側部材５２との結合力を強くしても良いし、図示しないが、スリット５４を設けず、第２の接続部５３の先端に接着剤を塗布して第２の外側部材５１と第２の内側部材５２との結合力を強くしても良い。
【００１７】
また、図４に示す３６はバックベルト３の他方の端部に近い側に設けられた第１の内側穴であり、１６は内側側部上がり部材１２に設けられた第２の内側穴であり、２６はアッパー２の内側側部に設けられた第３の内側穴であり、第１の内側穴３６、第２の内側穴、第３の内側穴２６は、履物Ｆの外側から内側に向かって、第１の内側穴３６、第２の内側穴１６、第３の内側穴２６の順にあり、 第１の内側穴３６、第２の内側穴１６、第３の内側穴２６の順にある。
第２の留め部材５は、第１の内側穴３６、第２の内側穴１６、第３の内側穴２６を貫通して取り付けられ、具体的には、第２の接続部５３は、第１の内側穴３６、第２の内側穴１６、第３の内側穴２６内に位置している。
また、図２に示すように、第２の内側部材５２、円盤状部材の下方を直線的に切除した蒲鉾形状で、蒲鉾形状の底部５２１を履物Ｆの底部１に臨ませている（図３参照）。
そして、第１の留め部材４及び第２の留め部材５の取り付けにより、バックベルト３を回動させるようにしてある。
【００１８】
また、図３に示す６は底部１の上に位置し、底部１を覆う覆い部材で、覆い部材６の上には、中敷き７が位置する。
また、図３に示す７１は、中敷き７の外側に設けられた中敷き外側立ち上がり部で、７２は、中敷き７の内側に設けられた中敷き内側立ち上がり部である。そして、図３に示すように、中敷き外側立ち上がり部７１で第１の内側部材４２を、中敷き内側立ち上がり部７２で第２の内側部材５２を、それぞれ覆って、第１の内側部材４２、第２の内側部材５２が足に接触するのを防ぐようにしている。
【００１９】
従って、上述した履物Ｆによれば、第１の留め部材４に作用する力がアッパー２の外側側部のみならず、底部１の外側側部より立ち上がる外側側部立ち上がり部材１１にも、第２の留め部材５に作用する力がアッパー２の内側側部のみならず、底部１の内側側部より立ち上がる内側側部立ち上がり部材１２にも、それぞれ作用するため、第１の留め部材４の取り付け部位、第２の留め部材５の取り付け部位を強固にすることができる。
また、第１の内側部材４２は、円盤状部材の下方を直線的に切除した蒲鉾形状で、蒲鉾形状の底部４２１を履物Ｆの底部１に臨ませ、第２の内側部材５２は、円盤状部材の下方を直線的に切除した蒲鉾形状で、蒲鉾形状の底部５２１を履物Ｆの底部１に臨ませている分、第１の留め部材４及び第２の留め部材５を底部１により近く取り付けることができるため、第１の内側部材４、第２の内側部材５が足の踝に接触するのを防ぐことができる。
【符号の説明】
【００２０】
Ｆ          履物
１          底部
２          アッパー
３          バックベルト
４          第１の留め部材
５          第２の留め部材
１１        外側側部立ち上がり部材
１２        内側側部立ち上がり部材
１５        第２の外側穴
１６        第２の内側穴
２５        第３の外側穴
２６        第３の内側穴
３５        第１の外側穴
３６        第１の内側穴
【図１】
0003203540.tif 000003
【図２】
0003203540.tif 000004
【図３】
0003203540.tif 000005
【図４】
0003203540.tif 000006
【手続補正書】
【提出日】平成28年1月28日(2016.1.28)
【手続補正１】
【補正対象書類名】実用新案登録請求の範囲
【補正対象項目名】全文
【補正方法】変更
【補正の内容】
【実用新案登録請求の範囲】
【請求項１】
履き口を有する履物であって、
底部と、
この底部に接合され、足の甲部と足の踵部の一部を覆うアッパーと、
略Ｕ字状に形成した帯状部材のバックベルトと、
前記底部の外側側部より立ち上がり、前記アッパーに付着した外側側部立ち上がり部材と、
前記底部の内側側部より立ち上がり、前記アッパーに付着した内側側部立ち上がり部材と、
前記バックベルトの一方の端部を前記アッパーに取り付ける第１の留め部材と、
前記バックベルトの他方の端部を前記アッパーに取り付ける第２の留め部材とを備え、
前記第１の留め部材は、前記履物の外側に位置する第１の外側部材と、前記履物の内側に位置する第１の内側部材と、この第１の内側部材と前記第１の外側部材とを接続する第１の接続部とを有し、
前記第２の留め部材は、前記履物の外側に位置する第２の外側部材と、前記履物の内側に位置する第２の内側部材と、この第２の内側部材と前記第２の外側部材とを接続する第２の接続部とを有し、
前記バックベルトの一方の端部に近い側に第１の外側穴を設け、
前記外側側部立ち上がり部材に第２の外側穴を設け、
前記アッパーの外側側部に第３の外側穴を設け、
前記第１の外側穴、前記第２の外側穴、前記第３の外側穴は、前記履物の外側から内側に向かって、前記第１の外側穴、前記第２の外側穴、前記第３の外側穴の順にあり、
前記第１の接続部は、前記第１の外側穴、前記第２の外側穴、前記第３の外側穴内に位置し、
前記バックベルトの他方の端部に近い側に第１の内側穴を設け、
前記内側側部立ち上がり部材に第２の内側穴を設け、
前記アッパーの内側側部に第３の内側穴を設け、
前記第１の内側穴、前記第２の内側穴、前記第３の内側穴は、前記履物の外側から内側に向かって、前記第１の内側穴、前記第２の内側穴、前記第３の内側穴の順にあり、      前記第２の接続部は、前記第１の内側穴、前記第２の内側穴、前記第３の内側穴内に位置し、
前記第１の留め部材及び前記第２の留め部材の取り付けにより、前記バックベルトを回動させる
ことを特徴とする履物。        
【請求項２】
第１の外側部材は、第１の外側円盤状部材であり、
第１の内側部材は、円盤状部材の下方を直線的に切除した蒲鉾形状で、蒲鉾形状の底部を前記履物の底部に臨ませ、
第２の外側部材は、第２の外側円盤状部材であり、
第２の内側部材は、円盤状部材の下方を直線的に切除した蒲鉾形状で、蒲鉾形状の底部を前記履物の底部に臨ませている
ことを特徴とする請求項１記載の履物。
【請求項３】
底部の上に位置し、前記底部を覆う覆い部材と、
この覆い部材の上に位置する中敷きと、
この中敷きの外側に設けられた中敷き外側立ち上がり部と、
前記中敷きの内側に設けられた中敷き内側立ち上がり部とを設け、
前記中敷き外側立ち上がり部で第１の内側部材を覆い、
前記中敷き内側立ち上がり部で第２の内側部材を覆っている
ことを特徴とする請求項１記載の履物。
【手続補正２】
【補正対象書類名】明細書
【補正対象項目名】０００６
【補正方法】変更
【補正の内容】
【０００６】
請求項１記載の履物は、履き口を有する履物であって、底部と、この底部に接合され、足の甲部と足の踵部の一部を覆うアッパーと、略Ｕ字状に形成した帯状部材のバックベルトと、前記底部の外側側部より立ち上がり、前記アッパーに付着した外側側部立ち上がり部材と、前記底部の内側側部より立ち上がり、前記アッパーに付着した内側側部立ち上がり部材と、前記バックベルトの一方の端部を前記アッパーに取り付ける第１の留め部材と、前記バックベルトの他方の端部を前記アッパーに取り付ける第２の留め部材とを備え、前記第１の留め部材は、前記履物の外側に位置する第１の外側部材と、前記履物の内側に位置する第１の内側部材と、この第１の内側部材と前記第１の外側部材とを接続する第１の接続部とを有し、前記第２の留め部材は、前記履物の外側に位置する第２の外側部材と、前記履物の内側に位置する第２の内側部材と、この第２の内側部材と前記第２の外側部材とを接続する第２の接続部とを有し、前記バックベルトの一方の端部に近い側に第１の外側穴を設け、前記外側側部立ち上がり部材に第２の外側穴を設け、前記アッパーの外側側部に第３の外側穴を設け、前記第１の外側穴、前記第２の外側穴、前記第３の外側穴は、前記履物の外側から内側に向かって、前記第１の外側穴、前記第２の外側穴、前記第３の外側穴の順にあり、前記第１の接続部は、前記第１の外側穴、前記第２の外側穴、前記第３の外側穴内に位置し、前記バックベルトの他方の端部に近い側に第１の内側穴を設け、前記内側側部立ち上がり部材に第２の内側穴を設け、前記アッパーの内側側部に第３の内側穴を設け、前記第１の内側穴、前記第２の内側穴、前記第３の内側穴は、前記履物の外側から内側に向かって、前記第１の内側穴、前記第２の内側穴、前記第３の内側穴の順にあり、前記第２の接続部は、前記第１の内側穴、前記第２の内側穴、前記第３の内側穴内に位置し、前記第１の留め部材及び前記第２の留め部材の取り付けにより、前記バックベルトを回動させるものである。